(57)【特許請求の範囲】
【請求項１】
通信網を形成する複数無線基地局を互いに素である複数サブネットに分割するサブネット作成部と、
前記複数無線基地局のうち前記複数サブネットに属する無線基地局にそれぞれアドレスを割り当てるアドレス割り当て部とを具備し、
前記複数無線基地局は、当該ネットワーク管理装置に直接に接続されている１つの最上位無線基地局と、前記最上位無線基地局と異なり前記複数無線基地局のうち１つの無線基地局にのみ直接に接続されている複数の終端無線基地局とを含み、
前記複数サブネットは、それぞれ、
前記終端無線基地局のうちの１つの終端無線基地局と、
前記複数無線基地局のうちの１つの他端無線基地局と、
前記１つの終端無線基地局と前記１つの他端無線基地局との間を連結する経路にある無線基地局とから形成され、
前記１つの他端無線基地局は、他のサブネットに属する他の無線基地局に接続される無線基地局、または、前記最上位無線基地局であり、
前記他の無線基地局は、前記前記複数の終端無線基地局と異なる
ネットワーク管理装置。
【請求項２】
請求項１において、
前記アドレスは、ネットワーク部分とホスト部分とを含み、
前記複数サブネットのうちの１つのサブネットに属する無線基地局に割り当てられる前記アドレスは、
前記ネットワーク部分が同一であり、
前記ホスト部分が前記１つのサブネットに属する無線基地局とネットワークアドレスとブロードキャスティングアドレスとを十分に識別にすることができる最小の桁数から形成される
ネットワーク管理装置。
【請求項３】
請求項２において、
前記複数サブネットのうちの前記最上位無線基地局を含むサブネットに属する無線基地局の数は、前記複数サブネットのうちで最大である
ネットワーク管理装置。
【請求項４】
請求項３において、
前記複数無線基地局と前記アドレスとを対応づける対応表を作成する対応表作成部と、
前記対応表を前記対応表の新しさを示すバージョンとともに前記最上位無線基地局に送信する対応表送信部とを更に具備し、
前記最上位無線基地局は、当該ネットワーク管理装置から前記対応表を前記バージョンとともにダウンロードし、
前記複数無線基地局は、第１対応表を記録している第１無線基地局と、前記第１無線基地局に直接に接続され第２対応表を記録している第２無線基地局とを含み、
前記第１無線基地局は、前記第１対応表が前記第２対応表より新しいときに、前記第２無線基地局から前記第２対応表を前記バージョンとともにダウンロードする
ネットワーク管理装置。
【請求項５】
通信網を形成する複数無線基地局を互いに素である複数サブネットに分割するステップと、
前記複数無線基地局のうち前記複数サブネットに属する無線基地局にそれぞれアドレスを割り当てるステップとを具備し、
前記複数無線基地局は、当該ネットワーク管理装置に直接に接続されている１つの最上位無線基地局と、前記最上位無線基地局と異なり前記複数無線基地局のうち１つの無線基地局にのみ直接に接続されている複数の終端無線基地局とを含み、
前記複数サブネットは、それぞれ、
前記終端無線基地局のうちの１つの終端無線基地局と、
前記複数無線基地局のうちの１つの他端無線基地局と、
前記１つの終端無線基地局と前記１つの他端無線基地局との間を連結する経路にある無線基地局とから形成され、
前記１つの他端無線基地局は、他のサブネットに属する他の無線基地局に接続される無線基地局、または、前記最上位無線基地局であり、
前記他の無線基地局は、前記前記複数の終端無線基地局と異なる
アドレス割り当て方法。
【請求項６】
請求項５において、
前記アドレスは、ネットワーク部分とホスト部分とを含み、
前記複数サブネットのうちの１つのサブネットに属する無線基地局に割り当てられる前記アドレスは、
前記ネットワーク部分が同一であり、
前記ホスト部分が前記１つのサブネットに属する無線基地局とネットワークアドレスとブロードキャスティングアドレスとを十分に識別にすることができる最小の桁数から形成される
アドレス割り当て方法。
【請求項７】
請求項６において、
前記複数サブネットのうちの前記最上位無線基地局を含むサブネットに属する無線基地局の数は、前記複数サブネットのうちで最大である
アドレス割り当て方法。
【請求項８】
請求項７において、
前記複数無線基地局と前記アドレスとを対応づける対応表を作成するステップと、
前記対応表を前記対応表の新しさを示すバージョンとともに前記最上位無線基地局に送信するステップとを更に具備し、
前記最上位無線基地局は、当該ネットワーク管理装置から前記対応表を前記バージョンとともにダウンロードし、
前記複数無線基地局は、第１対応表を記録している第１無線基地局と、前記第１無線基地局に直接に接続され第２対応表を記録している第２無線基地局とを含み、
前記第１無線基地局は、前記第１対応表が前記第２対応表より新しいときに、前記第２無線基地局から前記第２対応表を前記バージョンとともにダウンロードする
アドレス割り当て方法。
【発明の詳細な説明】
【０００１】
【発明の属する技術分野】
本発明は、ネットワーク管理装置及びアドレス割り当て方法に関し、特に、情報処理装置が無線を介して接続される無線基地局により構成される無線アクセスネットワークの運営に適用されるネットワーク管理装置及びアドレス割り当て方法に関する。
【０００２】
【従来の技術】
情報処理装置に無線を介して接続される無線基地局により構成される無線アクセスネットワークが利用されている。このような無線基地局は、それぞれ無線アクセスネットワーク内で一意に定まるＩＰアドレスが割り当てられている。無線基地局は、そのＩＰアドレスを用いて宛て先である無線基地局を識別する。無線基地局へのＩＰアドレスの割り当ては、無線アクセスネットワークの管理者の経験に基づいて行われており、その管理者は、無線基地局まで実際に出向いて、ＩＰアドレスを設定している。
【０００３】
このような無線アクセスネットワークは、無線基地局が多数であるときに、ネットワーク構成が複雑であり、ネットワーク管理者の経験だけでは適切なＩＰアドレスを割り当てることができなくなる。無線基地局にＩＰアドレスを容易に割り当てる方法が望まれている。
【０００４】
無線アクセスネットワークを正常に運営するために無線基地局の構成や障害、パフォーマンスの管理を行うＮＭＳ（Ｎｅｔｗｏｒｋ  Ｍａｎａｇｅｍｅｎｔ  Ｓｙｓｔｅｍ：ネットワーク管理システム）が利用されている。このＮＭＳは、ＳＮＭＰプロトコルを用いて、無線アクセスネットワークを監視制御する。このとき、無線基地局は、ＮＭＳから要求されるアラーム／イベントが発生したときに、自立的にＮＭＳにその旨を通知する。
【０００５】
ＮＭＳは、さらに、ＤＨＣＰサーバ機能のように動的に無線基地局にＩＰアドレスを割り当てる機能を追加することができる。このとき、無線アクセスネットワークは、各無線基地局がＮＭＳにＩＰアドレスを要求し、ＮＭＳが各無線基地局に割り当てられたＩＰアドレスをチェックするための通信が実行される。無線基地局が多いときに、無線アクセスネットワークは、トラフィックが増大し、他の通信に悪影響を及ぼすことがある。さらに、ある特定の無線基地局に特定のＩＰアドレスを割り当てることができないで、ネットワーク管理者の自由度を妨げ、ＩＰアドレスの枯渇を引き起こすことがある。無線アクセスネットワークに使用されるＩＰアドレスの枯渇を防止するネットワーク管理システム及びアドレス割り当て方法が望まれている。
【０００６】
【発明が解決しようとする課題】
本発明の課題は、無線アクセスネットワークに使用されるＩＰアドレスの枯渇を防止するネットワーク管理装置及びアドレス割り当て方法を提供することにある。
本発明の他の課題は、無線アクセスネットワークに使用されるＩＰアドレスの枯渇を容易に防止するネットワーク管理装置及びアドレス割り当て方法を提供することにある。
【０００７】
【課題を解決するための手段】
以下に、［発明の実施の形態］で使用される番号・符号を括弧（）付きで用いて、課題を解決するための手段を説明する。これらの番号・符号は、［特許請求の範囲］の記載と［発明の実施の形態］の記載との対応関係を明らかにするために付加されたものであり、［特許請求の範囲］に記載されている発明の技術的範囲の解釈に用いてはならない。
【０００８】
本発明によるネットワーク管理装置（２）は、通信網（１）を形成する複数無線基地局（３−１〜３−１０）を互いに素である複数サブネット（６−１〜６−３）に分割するサブネット作成部（１１）と、複数無線基地局（３−１〜３−１０）のうち複数サブネット（６−１〜６−３）に属する無線基地局にそれぞれアドレスを割り当てるアドレス割り当て部（１２）とを具備している。複数無線基地局（３−１〜３−１０）は、ネットワーク管理装置（２）に直接に接続されている１つの最上位無線基地局（３−１）と、最上位無線基地局（３−１）と異なり複数無線基地局（３−１〜３−１０）のうち１つの無線基地局にのみ直接に接続されている複数の終端無線基地局（３−６、３−８、３−１０）とを含んでいる。複数サブネット（６−１〜６−３）は、それぞれ、終端無線基地局（３−６、３−８、３−１０）を１つだけ含んでいる。複数サブネット（６−１〜６−３）のうちの１つに属する複数の無線基地局は、最上位無線基地局（６−１）に連結する経路にある無線基地局の個数、すなわち、深さが互いに異なることが好ましい。このようなサブネット化は、サブネットの個数を低減し、複数無線基地局（３−１〜３−１０）に割り当てられたアドレスの枯渇を防止する。
【０００９】
そのアドレスは、ネットワーク部分とホスト部分とを含んでいる。複数サブネット（６−１〜６−３）のうちの１つのサブネットに属する無線基地局に割り当てられるアドレスは、ネットワーク部分が同一であり、ホスト部分が１つのサブネットに属する無線基地局とネットワークアドレスとブロードキャスティングアドレスとを十分に識別にすることができる最小の桁数から形成される。アドレスは、ネットマスクを用いてネットワーク部分とホスト部分とに分割することができる。そのネットワーク部分とホスト部分との桁数は、サブアドレス毎に設定され、異なることができる。このような割り当ては、複数無線基地局（３−１〜３−１０）に割り当てられたアドレスの枯渇を防止する。
【００１０】
複数サブネット（６−１〜６−３）のうちの最上位無線基地局（３−１）を含むサブネットに属する無線基地局の数は、複数サブネット（６−１〜６−３）のうちで最大であることが好ましい。
【００１１】
本発明によるネットワーク管理装置（２）は、複数無線基地局（３−１〜３−１０）とアドレスとを対応づける対応表（２１）を作成する対応表作成部（１３）と、対応表（２１）を対応表（２１）の新しさを示すバージョンとともに最上位無線基地局（３−１）に送信する対応表送信部（１４）とを更に具備している。最上位無線基地局（３−１）は、ネットワーク管理装置（２）から対応表（２１）をバージョンとともにダウンロードする。複数無線基地局（３−１〜３−１０）は、第１対応表を記録している第１無線基地局と、第１無線基地局に直接に接続され第２対応表を記録している第２無線基地局とを含んでいる。第１無線基地局は、第１対応表が第２対応表より新しいときに、第２無線基地局から第２対応表をバージョンとともにダウンロードすることが好ましい。
【００１２】
本発明によるアドレス割り当て方法は、通信網（１）を形成する複数無線基地局（３−１〜３−１０）を互いに素である複数サブネット（６−１〜６−３）に分割するステップ（Ｓ３）と、複数無線基地局（３−１〜３−１０）のうち複数サブネット（６−１〜６−３）に属する無線基地局にそれぞれアドレスを割り当てるステップ（Ｓ３）とを具備している。複数無線基地局（３−１〜３−１０）は、ネットワーク管理装置（２）に直接に接続されている１つの最上位無線基地局（３−１）と、最上位無線基地局（３−１）と異なり複数無線基地局（３−１〜３−１０）のうち１つの無線基地局にのみ直接に接続されている複数の終端無線基地局（３−６、３−８、３−１０）とを含んでいる。複数サブネット（６−１〜６−３）は、それぞれ、終端無線基地局（３−６、３−８、３−１０）を１つだけ含んでいる。複数サブネット（６−１〜６−３）のうちの１つに属する複数の無線基地局は、最上位無線基地局（６−１）に連結する経路にある無線基地局の個数、すなわち、深さが互いに異なることが好ましい。このようなサブネット化は、サブネットの個数を低減し、複数無線基地局（３−１〜３−１０）に割り当てられたアドレスの枯渇を防止する。
【００１３】
そのアドレスは、ネットワーク部分とホスト部分とを含み、複数サブネット（６−１〜６−３）のうちの１つのサブネットに属する無線基地局に割り当てられるアドレスは、ネットワーク部分が同一であり、ホスト部分が１つのサブネットに属する無線基地局とネットワークアドレスとブロードキャスティングアドレスとを十分に識別にすることができる最小の桁数から形成される。アドレスは、ネットマスクを用いてネットワーク部分とホスト部分とに分割することができる。そのネットワーク部分とホスト部分との桁数は、サブアドレス毎に設定され、異なることができる。このような割り当ては、複数無線基地局（３−１〜３−１０）に割り当てられたアドレスの枯渇を防止する。
【００１４】
複数サブネット（６−１〜６−３）のうちの最上位無線基地局（３−１）を含むサブネットに属する無線基地局の数は、複数サブネット（６−１〜６−３）のうちで最大であることが好ましい。
【００１５】
本発明によるアドレス割り当て方法は、複数無線基地局（３−１〜３−１０）とアドレスとを対応づける対応表（２１）を作成するステップと、対応表（２１）を対応表（２１）の新しさを示すバージョンとともに最上位無線基地局（３−１）に送信するステップとを更に具備している。最上位無線基地局（３−１）は、ネットワーク管理装置（２）から対応表（２１）をバージョンとともにダウンロードし、複数無線基地局（３−１〜３−１０）は、第１対応表を記録している第１無線基地局と、第１無線基地局に直接に接続され第２対応表を記録している第２無線基地局とを含み、第１無線基地局は、第１対応表が第２対応表より新しいときに、第２無線基地局から第２対応表をバージョンとともにダウンロードすることが好ましい。
【００１６】
【発明の実施の形態】
図面を参照して、本発明によるネットワーク管理装置が適用された無線アクセスネットワークシステムの実施の形態を説明する。その無線アクセスネットワークシステム１０は、図１に示されているように、無線アクセスネットワーク１とネットワーク管理装置２とを備えている。無線アクセスネットワーク１は、複数の無線基地局３−１〜３−１０から形成されている。無線アクセスネットワーク１は、対向方式（Ｐｏｉｎｔ−ｔｏ−Ｐｏｉｎｔ）であり、無線基地局３−１〜３−１０は、それぞれ無線電波を介してワークステーションに例示される情報処理装置に双方向に接続されている。
【００１７】
無線基地局３−１〜３−１０は、伝送路を介して直接または間接に互いに双方向に接続されている。すなわち、無線基地局３−１は、無線基地局３−２に接続されている。無線基地局３−２は、無線基地局３−３に接続され、無線基地局３−９に接続されている。無線基地局３−３は、無線基地局３−４に接続され、無線基地局３−７に接続されている。無線基地局３−４は、無線基地局３−５に接続されている。無線基地局３−５は、無線基地局３−６に接続されている。無線基地局３−７は、無線基地局３−８に接続されている。無線基地局３−９は、無線基地局３−１０に接続されている。
【００１８】
ネットワーク管理装置２は、情報処理装置であり、無線基地局３−１〜３−１０を管理して無線アクセスネットワーク１を運営する、いわゆる、ＮＭＳ（Ｎｅｔｗｏｒｋ  Ｍａｎａｇｅｍｅｎｔ  Ｓｙｓｔｅｍ）である。ネットワーク管理装置２は、ローカルエリアネットワーク（ＬＡＮ）４を介して無線基地局３−１に双方向に接続されている。
【００１９】
無線アクセスネットワーク１は、ネットワーク管理装置２により複数のサブネット６−１〜６−３に分割されている。サブネット６−１は、無線基地局３−１〜３−６から形成されている。サブネット６−２は、無線基地局３−７、６−８から形成されている。サブネット６−３は、無線基地局３−９、６−１０から形成されている。
【００２０】
すなわち、無線アクセスネットワーク１は、無線基地局３−１〜３−１０が頂点であり、伝送路が辺であるグラフを形成し、無線基地局３−１〜３−１０のうちの任意の２つの無線基地局３−ｉ（ｉ＝１，２，３，…，１０）、３−ｉ′（ｉ′＝１，２，３，…，１０；ｉ′≠ｉ）を連結する経路が唯一に決定する、いわゆる、木構造を形成している。
【００２１】
ここで、本明細書は、無線基地局３−ｉに直接に接続されている他の無線基地局３−ｉ′の個数を次数と定義し、異なる２つの無線基地局３−ｉ、３−ｉ′を連結する経路にある伝送路の個数を経路の長さと定義する。さらに、ネットワーク管理装置２に直接に接続されている無線基地局３−１は、最上位無線基地局と定義され、最上位無線基地局を除き次数が１である無線基地局３−６、３−８、３−１０は、終端無線基地局と定義され、最上位無線基地局と無線基地局とを連結する経路の長さは、その無線基地局の深さと定義される。
【００２２】
すなわち、サブネット６−１〜６−３は、それぞれ、互いに深さが異なる無線基地局が直線状に連結している道構造を形成し、終端無線基地局を１つだけ含んでいる。さらに、最上位無線基地局を含むサブネット６−１は、深さが最も大きい無線基地局３−６を含んでいる。
【００２３】
図２は、ネットワーク管理装置２を詳細に示している。ネットワーク管理装置２は、コンピュータプログラムであるサブネット作成部１１、ＩＰアドレス割り当て部１２、対応表作成部１３、対応表送信部１４および設定完了通知受信部１５を備えている。
【００２４】
サブネット作成部１１は、無線アクセスネットワーク１の構造が変更されたときに、無線基地局３−１〜３−１０を複数のサブネット６−１〜６−３に分割する。すなわち、サブネット作成部１１は、まず、周知である縦形探索アルゴリズムを用いて、深さが最も大きい終端無線基地局を検索し、その終端無線基地局と最上位無線基地局とを連結する無線基地局の組をサブネット化する。サブネット作成部１１は、次いで、サブネット化されていない無線基地局のうちで、深さが最も大きい終端無線基地局を検索し、その終端無線基地局と最上位無線基地局とを連結する経路にある無線基地局のうちのサブネット化されていない無線基地局の組をサブネット化するステップを繰り返す。このようなサブネット化は、サブネットの個数をより低減する。
【００２５】
ＩＰアドレス割り当て部１２は、サブネット作成部１１によりサブネット化された無線基地局３−１〜３−１０にＩＰアドレスを割り当てる。そのＩＰアドレスは、サブネット６−ｊ（ｊ＝１，２，３）を識別するネットワーク部分と、無線基地局３−ｉを識別するホスト部分とを含んでいる。ホスト部分は、サブネット６−ｊに属する無線基地局３−ｉの個数に２を加算した数値を表現することができる最小の桁で形成され、深さが小さい無線基地局は、深さが大きい無線基地局よりホスト部分の数値が小さい。ホスト部分の数値が０であるＩＰアドレスは、ネットワークアドレスであり、サブネット６−ｉを示している。ホスト部分が表現することができる最大値であるＩＰアドレスは、ブロードキャストアドレスであり、サブネット６−ｉに属するすべての無線基地局を示している。ネットワークアドレスとブロードキャストアドレスは、それぞれ、サブネットの個数だけ作成される。この結果、サブネットの個数の低減は、複数無線基地局（３−１〜３−１０）に割り当てられたアドレスの枯渇を防止する。
【００２６】
ＩＰアドレス割り当て部１２は、さらに、各ＩＰアドレス毎に、そのＩＰアドレスをネットワーク部分とホスト部分とを分割する数値であるネットマスクを導出する。すなわち、ＩＰアドレスとサブネットマスクとの論理積がネットワーク部分であり、サブネットマスクの否定とＩＰアドレスとの論理積がホスト部分である。このようなネットマスクは、１つのサブネット６−ｊに属する無線基地局３−ｉに関して同一であり、異なる２つのサブネットに関して異なることができる。
【００２７】
対応表作成部１３は、各無線基地局３−ｉとＩＰアドレスとを対応付ける対応表を作成する。対応表送信部１４は、その対応表をバージョンとともに無線基地局３−１に送信する。無線基地局３−１は、その対応表をバージョンとともにネットワーク管理装置２からダウンロードする。無線基地局３−ｉは、直接に接続されている無線基地局３−ｉ′と間欠的にヘルスチェックして、対応表のバージョンを比較している。無線基地局３−ｉは、対応表のバージョンが異なっているときに、無線基地局３−ｉ′から新しい対応表をバージョンとともにダウンロードして、ダウンロードの完了をネットワーク管理装置２に通知する。設定完了通知受信部１５は、無線基地局３−１〜３−１０から対応表のダウンロードの完了を示す通知を受信する。
【００２８】
図３は、対応表作成部１３により作成された対応表を示している。その対応表２１は、各無線基地局３−ｉのＭＡＣアドレス、ＩＰアドレスおよびネットマスクを互いに対応づけている。ＭＡＣアドレスは、無線基地局３−ｉのＲＯＭに記録されている一意の番号であり、変更されないで、無線基地局３−ｉを識別する。ＩＰアドレスは、無線アクセスネットワーク１で無線基地局３−ｉを識別するために用いられる。ネットマスクは、ＩＰアドレスを、サブネット６−ｊを識別するネットワーク部分と、無線基地局３−ｉを識別するホスト部分に分割するために用いられる数値である。すなわち、ＩＰアドレスとサブネットマスクとの論理積がネットワーク部分であり、サブネットマスクの否定とＩＰアドレスとの論理積がホスト部分である。
【００２９】
たとえば、無線基地局３−１は、ＭＡＣアドレスが「ＭＡＣ−１」であり、ＩＰアドレスが「１７２．１８．０．１」であり、ネットマスクが「２５５．２５５．２５５．２４８」である。無線基地局３−２は、ＭＡＣアドレスが「ＭＡＣ−２」であり、ＩＰアドレスが「１７２．１８．０．２」であり、ネットマスクが「２５５．２５５．２５５．２４８」である。無線基地局３−３は、ＭＡＣアドレスが「ＭＡＣ−３」であり、ＩＰアドレスが「１７２．１８．０．３」であり、ネットマスクが「２５５．２５５．２５５．２４８」である。無線基地局３−４は、ＭＡＣアドレスが「ＭＡＣ−４」であり、ＩＰアドレスが「１７２．１８．０．４」であり、ネットマスクが「２５５．２５５．２５５．２４８」である。無線基地局３−５は、ＭＡＣアドレスが「ＭＡＣ−５」であり、ＩＰアドレスが「１７２．１８．０．５」であり、ネットマスクが「２５５．２５５．２５５．２４８」である。無線基地局３−６は、ＭＡＣアドレスが「ＭＡＣ−６」であり、ＩＰアドレスが「１７２．１８．０．６」であり、ネットマスクが「２５５．２５５．２５５．２４８」である。無線基地局３−７は、ＭＡＣアドレスが「ＭＡＣ−７」であり、ＩＰアドレスが「１７２．１８．０．９」であり、ネットマスクが「２５５．２５５．２５５．２５２」である。無線基地局３−８は、ＭＡＣアドレスが「ＭＡＣ−８」であり、ＩＰアドレスが「１７２．１８．０．１０」であり、ネットマスクが「２５５．２５５．２５５．２５２」である。無線基地局３−９は、ＭＡＣアドレスが「ＭＡＣ−９」であり、ＩＰアドレスが「１７２．１８．０．１３」であり、ネットマスクが「２５５．２５５．２５５．２５２」である。無線基地局３−１０は、ＭＡＣアドレスが「ＭＡＣ−１０」であり、ＩＰアドレスが「１７２．１８．０．１４」であり、ネットマスクが「２５５．２５５．２５５．２５２」である。
【００３０】
ネットマスクは、サブアドレス毎に設定され、ＩＰアドレスのネットワーク部分とホスト部分との桁数は、異なることができる。このような割り当ては、複数無線基地局３−１〜３−１０に割り当てられたアドレスの枯渇を防止する。
【００３１】
図４は、本発明によるＩＰアドレス割り当て方法の実施の形態を示している。そのＩＰアドレス割り当て方法は、無線基地局３−１〜３−１０の接続関係が変更されたときに、ネットワーク管理装置２により実行される。ネットワーク管理装置２は、まず、周知である縦形探索アルゴリズムを用いて、すべての終端無線基地局を探索し（ステップＳ１）、その終端無線基地局がサブネット化されているかどうかを判別する（ステップＳ２）。
【００３２】
ネットワーク管理装置２は、サブネット化されていない終端無線基地局を発見したときに（ステップＳ２；ＹＥＳ）、サブネット化されていないで深さが最も大きい終端無線基地局と最上位無線基地局とを連結する経路にある無線基地局のうちのサブネット化されていない無線基地局の組をサブネット化する（ステップＳ３）。ネットワーク管理装置２は、さらに、サブネット化された無線基地局に連番のＩＰアドレスを割り当て、ネットマスクを導出する。ネットワーク管理装置２は、さらに、無線基地局のＭＡＣアドレス、ＩＰアドレスおよびネットマスクを互いに対応づける対応表を作成する（ステップＳ４）。
【００３３】
ネットワーク管理装置２は、サブネット化されていない終端無線基地局を発見したときに（ステップＳ２；ＹＥＳ）、または、ステップＳ４が完了したときに、すべての無線基地局３−１〜３−１０がサブネット化されているかを調査する（ステップＳ５）。ネットワーク管理装置２は、まだサブネットに属していない無線基地局があるときに（ステップＳ５；ＮＯ）、再度ステップＳ１を実行し、サブネット化して無線基地局３−ｉにＩＰアドレスを割り当てるステップを繰り返す。
【００３４】
本発明によるアドレス割り当て方法によれば、無線アクセスネットワーク１に利用されるＩＰアドレスの枯渇を容易に防止することができる。
【００３５】
ネットワーク管理装置２は、対応表をそのバージョンとともに無線基地局３−１に送信する。無線基地局３−１は、その対応表をネットワーク管理装置２からダウンロードする。無線基地局３−ｉは、直接に接続されている無線基地局３−ｉ′と間欠的にヘルスチェックして、対応表のバージョンを比較する。無線基地局３−ｉは、対応表のバージョンが異なっているときに、無線基地局３−ｉ′から新しい対応表をダウンロードして、ダウンロードの完了をネットワーク管理装置２に通知する。設定完了通知受信部１５は、無線基地局３−１〜３−１０から対応表のダウンロードの完了を示す通知を受信する。
【００３６】
このような動作によれば、ネットワーク管理装置２は、無線基地局３−１〜３−１０に新しいＩＰアドレスとネットマスクとが設定されたとことを常に検知することができ好ましい。
【００３７】
【発明の効果】
本発明によるネットワーク管理装置及びアドレス割り当て方法は、無線アクセスネットワークを構成する無線基地局にＩＰアドレスを割り当てる際、そのＩＰアドレスの枯渇を防止することができる。
【図面の簡単な説明】
【図１】図１は、無線アクセスネットワークシステムを示すブロック図である。
【図２】図２は、本発明によるネットワーク管理装置の実施の形態を示すブロック図である。
【図３】図３は、対応表を示す表である。
【図４】図４は、本発明によるＩＰアドレス割り当て方法の実施の形態を示すフローチャートである。
【符号の説明】
１  ：無線アクセスネットワーク
２  ：ネットワーク管理装置
３−１〜３−１０：無線基地局
４  ：ローカルエリアネットワーク
６−１〜６−３：サブネット
１０：無線アクセスネットワークシステム
１１：サブネット作成部
１２：ＩＰアドレス割り当て部
１３：対応表作成部
１４：対応表送信部
１５：設定完了通知受信部
２１：対応表
【図１】
0003918993.tif 000002
【図２】
0003918993.tif 000003
【図３】
0003918993.tif 000004
【図４】
0003918993.tif 000005